(57)【特許請求の範囲】
【請求項１】
整列して配置される複数の遊技機の内部にそれぞれ設けられる監視装置であって、
前記複数の遊技機は、それぞれ、ＣＰＵ及び半導体メモリを含む電子部品を搭載した基板と、前記基板の電気的接続のための複数の電線を含むハーネスとを備え、
予め固有の情報が書き込まれたＲＦＩＤが、前記ＣＰＵ、前記半導体メモリ、前記基板及び前記ハーネスの少なくともひとつに設けられ、
前記監視装置は、少なくとも自身が設けられている遊技機内の前記ＲＦＩＤに関する固有の情報が予め登録された記憶部と、前記ＲＦＩＤと無線で通信を行い前記ＲＦＩＤの情報を読み取る通信部とを備え、
前記通信部による前記ＲＦＩＤの読み取り可能な範囲は、自身が設けられている遊技機よりも広く、隣接する遊技機に設けられている他の監視装置による読み取り可能な範囲と少なくとも一部で重なっており、
前記監視装置は、少なくとも隣接する遊技機に設けられている他の監視装置と通信可能に構成され、
読み取り可能であったＲＦＩＤの情報を読み取れなくなったとき、読み取れなくなった前記ＲＦＩＤの固有の情報を含む失跡信号を前記他の監視装置へ送信するとともに、
前記他の監視装置から前記失跡信号を受信し、自己の前記通信部による読み取り可能な範囲において前記失跡信号に含まれる前記固有の情報に対応するＲＦＩＤを読み取ったとき、その旨を意味する発見信号を前記他の監視装置へ送ることを特徴とする遊技機の監視装置。
【請求項２】
前記失跡信号には、移動回数の情報が含まれ、
前記監視装置は、読み取り可能であったＲＦＩＤの情報を読み取れなくなった場合、
読み取れなくなった当該ＲＦＩＤの情報が、前記他の監視装置から送られてきた前記失跡信号に含まれていた前記固有の情報に対応するものであったとき、前記失踪信号に含まれていた前記移動回数を増やし、当該移動回数の情報を前記失跡信号に含めて前記他の監視装置へ送信するか、又は、
読み取れなくなった当該ＲＦＩＤの情報が、前記他の監視装置から送られてきた前記失跡信号に含まれていた前記固有の情報に対応するものでなかったとき、初期化した前記移動回数の情報を前記失跡信号に含めて前記他の監視装置へ送信し、
自己の前記通信部による読み取り可能な範囲において前記他の監視装置から受信した前記失跡信号に含まれる前記固有の情報に対応するＲＦＩＤの情報を読み出したとき、前記失跡信号に含まれる前記移動回数を調べ、当該移動回数が予め定められた値を超えている場合、その旨を意味する警報信号を出力することを特徴とする請求項１記載の遊技機の監視装置。
【請求項３】
前記監視装置は、前記失跡信号に含まれていたＲＦＩＤの固有の情報を前記警報信号に含めて前記他の監視装置へ送信し、
前記他の監視装置から前記警報信号を受けたとき、前記警報信号に含まれるＲＦＩＤの固有の情報が、自己の前記通信部による読み取り可能な範囲において受信したことのあるＲＦＩＤの固有の情報に対応するとき、エラー報知を行うことを特徴とする請求項２記載の遊技機の監視装置。
【請求項４】
前記監視装置は、前記記憶部に登録された前記ＲＦＩＤの少なくともいずれかの情報を読み取れなくなったとき、又は、読み取られたＲＦＩＤの情報が前記記憶部に予め登録されているものに対応しないとき異常と判定し、その旨を示す異常信号を出力することを特徴とする請求項１乃至請求項３いずれかに記載の遊技機の監視装置。
【発明の詳細な説明】
【技術分野】
【０００１】
この発明は、遊技機の監視装置に関し、特に無線でデータの読み出しが可能なＲＦＩＤを用いて不正行為を検知する技術に関する。
【背景技術】
【０００２】
パチンコホール等の遊技場では、島設備と称される遊技機の集合用設備によって、複数の遊技機が整列して効率よく収容されている。遊技場に設置される遊技機には、弾球遊技機（パチンコ機）と、回胴式遊技機（パチンコ型スロットマシン、通称パチスロ機）が知られている。遊技場のフロアは複数の島設備によって区画され、来場者及び従業員が歩行でき、遊技者が遊技を行うのに十分な空間が確保される。島設備には、遊技機に隣接して球貸機又はメダル貸機等の関連機器が設けられ、遊技者を煩わすことのない配慮がなされている。島設備は、遊技の配当の払い出しと特定の遊技状態を監視するホストコンピュータに接続されている。ホストコンピュータは、遊技機から払い出された配当や特定の遊技状態となった回数を島設備ごとに集計する。これにより、島設備に設置された遊技機がどのような遊技状態に推移しているかを大略的に把握でき、遊技機に異常が発生していないかどうかがわかる。
【０００３】
遊技機に異常が発生する原因は、遊技機の処理エラーによるものと、不正行為によるものとがある。不正行為には、遊技プログラムを記憶したＩＣ又は回路基板をすり換える行為や、遊技プログラムが誤作動を起こす電波を遊技機の周辺で発生させる行為、遊技機に器具等を差し込む行為、部品を交換する行為などがある。これらの不正行為に対処するため、遊技場では複数の監視カメラを設置して不正行為が行われているか否かの監視を行っている。また、遊技機の回路基板を透明なケースに収納封印し、回路基板が容易にすり替えられることを防止している。
【０００４】
さらに、遊技性に係る主要な制御を行うメイン基板等の電子部品に、非接触でＩＤコード等の製品情報を認識可能とするＲＦＩＤ（Radio Frequency Identification、以下「ＲＦＩＤ」という。）を装着することが行われている。ＲＦＩＤを用いることで、遊技機の基板等の部品の管理を容易に行えるとともに、不正行為を検知することができるようになる。
【０００５】
上記ＲＦＩＤは、集積回路（記憶部を含む。）と、無線回路と、アンテナとを備える応答機である。これに対応する質問機としてＲＦＩＤから情報を読み取るための読込装置（以下「ＲＦＩＤリーダ（監視装置）」という）がある。これは、制御部と、無線回路と、アンテナとを備えるものである。ＲＦＩＤが非接触で通信を行うための方式として、１３．５６ＭＨｚの交流磁界によるコイルの相互誘導を利用して通信する電磁結合型・電磁誘導型、２．４５ＧＨｚのマイクロ波で送受信を行うマイクロ波型がある。
【０００６】
【特許文献１】特開２００４−１９４６９０号公報「遊技機」  制御装置の設置状態をホールコンピュータに通知可能とすることにより、たとえ封印の偽造がされた場合でも脱着の痕跡を残すことができ、よりセキュリティー機能に優れた遊技機を提供する。記録手段（ＩＤタグ）を備え、記録手段から信号を受信することにより、前記制御装置と前記筐体との位置関係を確認し、所定の位置関係が保たれない場合にホールコンピュータに通報する。
【特許文献２】特開２００５−５８６７７号公報「監視システム」  遊技場で行われる不正行為を監視して、これを的確に発見する。スロットマシンには、識別情報が記憶されたＲＦＩＤが設けられている。島設備にはＲＦＩＤアンテナ装置が設けられている。ＲＦＩＤアンテナ装置はＲＦＩＤタグに電波を発信し、ＲＦＩＤタグに記憶された識別情報がＲＦＩＤアンテナ装置に受信される。受信された識別情報は、ホールコンピュータに送られる。ホールコンピュータでは、識別情報を照合してスロットマシンの認証を行う。識別情報が読み取れないときや、識別情報が誤ったものであるときには、異常報知装置が作動して、スロットマシンに不正行為が行われた可能性があることが遊技場の従業員に報知される。
【発明の開示】
【発明が解決しようとする課題】
【０００７】
上記先行技術によれば、基板交換等の不正行為を発見できるものの、単に不正行為の有無を検知するにすぎず、さらに詳細な情報、例えば交換された基板の現在位置や、不正行為者の移動経路などを知ることができなかった。不正行為の検知したときに素早く対応しないと、不正行為者を取り逃がすおそれが高い。詳細な情報がないと素早い対応は困難である。
【０００８】
本発明は、上記課題を解決することを目的とし、不正行為を検知するとともに、その詳細な情報、例えば交換された基板の現在位置や、不正行為者の移動経路などを提供可能な遊技機の監視装置を提供することを目的とする。
【課題を解決するための手段】
【０００９】
この発明は、整列して配置される複数の遊技機の内部にそれぞれ設けられる監視装置であって、
前記複数の遊技機は、それぞれ、ＣＰＵ及び半導体メモリを含む電子部品を搭載した基板と、前記基板の電気的接続のための複数の電線を含むハーネスとを備え、
予め固有の情報が書き込まれたＲＦＩＤが、前記ＣＰＵ、前記半導体メモリ、前記基板及び前記ハーネスの少なくともひとつに設けられ、
前記監視装置は、少なくとも自身が設けられている遊技機内の前記ＲＦＩＤに関する固有の情報が予め登録された記憶部と、前記ＲＦＩＤと無線で通信を行い前記ＲＦＩＤの情報を読み取る通信部とを備え、
前記通信部による前記ＲＦＩＤの読み取り可能な範囲は、自身が設けられている遊技機よりも広く、隣接する遊技機に設けられている他の監視装置による読み取り可能な範囲と少なくとも一部で重なっており、
前記監視装置は、前記記憶部に登録された前記ＲＦＩＤの少なくともいずれかの情報を読み取れなくなったとき、又は、読み取られたＲＦＩＤの情報が前記記憶部に予め登録されているものに対応しないとき異常と判定し、その旨を示す異常信号を出力するものである。
【００１０】
前記監視装置は、少なくとも隣接する遊技機に設けられている他の監視装置と通信可能に構成され、
読み取り可能であったＲＦＩＤの情報を読み取れなくなったとき、読み取れなくなった前記ＲＦＩＤの固有の情報を含む失跡信号を前記他の監視装置へ送信するとともに、
前記他の監視装置から前記失跡信号を受信し、自己の前記通信部による読み取り可能な範囲において前記失跡信号に含まれる前記固有の情報に対応するＲＦＩＤを読み取ったとき、その旨を意味する発見信号を前記他の監視装置へ送る。
【００１１】
前記失跡信号には、移動回数の情報が含まれ、
前記監視装置は、読み取り可能であったＲＦＩＤの情報を読み取れなくなった場合、
読み取れなくなった当該ＲＦＩＤの情報が、前記他の監視装置から送られてきた前記失跡信号に含まれていた前記固有の情報に対応するものであったとき、前記失踪信号に含まれていた前記移動回数を増やし、当該移動回数の情報を前記失跡信号に含めて前記他の監視装置へ送信するか、又は、
読み取れなくなった当該ＲＦＩＤの情報が、前記他の監視装置から送られてきた前記失跡信号に含まれていた前記固有の情報に対応するものでなかったとき、初期化した前記移動回数の情報を前記失跡信号に含めて前記他の監視装置へ送信し、
自己の前記通信部による読み取り可能な範囲において前記他の監視装置から受信した前記失跡信号に含まれる前記固有の情報に対応するＲＦＩＤの情報を読み出したとき、前記失跡信号に含まれる前記移動回数を調べ、当該移動回数が予め定められた値を超えている場合、その旨を意味する警報信号を出力する。
【００１２】
前記監視装置は、前記失跡信号に含まれていたＲＦＩＤの固有の情報を前記警報信号に含めて前記他の監視装置へ送信し、
前記他の監視装置から前記警報信号を受けたとき、前記警報信号に含まれるＲＦＩＤの固有の情報が、自己の前記通信部による読み取り可能な範囲において受信したことのあるＲＦＩＤの固有の情報に対応するとき、エラー報知を行う。
【００１３】
この発明は、整列して配置される複数の遊技機と、前記複数の遊技機の内部にそれぞれ設けられる監視装置と、前記複数の遊技機を管理するホールコンピュータとを備える遊技機の監視システムであって、
前記複数の遊技機は、それぞれ、ＣＰＵ及び半導体メモリを含む電子部品を搭載した基板と、前記基板の電気的接続のための複数の電線を含むハーネスとを備え、
予め固有の情報が書き込まれたＲＦＩＤが、前記ＣＰＵ、前記半導体メモリ、前記基板及び前記ハーネスの少なくともひとつに設けられ、
前記監視装置は、自身が設けられている遊技機内の前記ＲＦＩＤに関する固有の情報が予め登録された記憶部と、前記ＲＦＩＤと無線で通信を行い前記ＲＦＩＤの情報を読み出す通信部とを備え、
前記通信部による前記ＲＦＩＤの読み取り可能な範囲は、自身が設けられている遊技機よりも広く、隣接する遊技機に設けられている他の監視装置による読み取り可能な範囲と少なくとも一部で重なっており、
前記監視装置は、前記記憶部に登録された前記ＲＦＩＤの少なくともいずれかの情報を読み取れなくなったとき、その旨を示す失跡信号を出力し、又は、読み取られたＲＦＩＤの情報が前記記憶部に予め登録されていないものであるとき異常と判定し、その旨を示す異常信号を前記ホールコンピュータへ出力し、
前記ホールコンピュータは、前記複数の遊技機のいずれかの前記監視装置から前記異常信号又は前記失跡信号を受けたとき、異常を報知するものである。
【００１４】
前記失跡信号には、前記監視装置で読み取れなくなった前記ＲＦＩＤの固有の情報が含まれ、
前記ホールコンピュータは、前記ＲＦＩＤの固有の情報ごとに前記失跡信号の受信回数を計数し、当該受信回数が予め定められた値を超えたとき、エラー報知するとともに、
前記失跡信号の発信元の前記監視装置又は当該監視装置が設置されている遊技機に対して、エラー報知を行うように指令を出すようにしてもよい。
【００１６】
ＲＦＩＤ（Radio Frequency Identification）とは、電子的なタグの一種であり、内部に電子的な情報をもち、読取装置と電波で通信することで物を識別する装置である。一般的には、ＲＦＩＤはアンテナと、無線回路と、情報を記憶したり読み出したりするための制御回路と、情報を記憶するメモリとを備える。ＲＦＩＤについて、移動体識別装置、リモートＩＤ、ＩＣタグ、ＩＤタグ、ＲＦタグ、無線タグ、電子タグ、トランスポンダなどさまざまな名称が用いられているが、本明細書において上記機能を実現できるものをＲＦＩＤと呼ぶことにする。
【発明の効果】
【００１９】
この発明によれば、監視装置のＲＦＩＤの読み取り可能な範囲を遊技機よりも広げ、隣接する遊技機の他の監視装置による読み取り可能な範囲と重複させたので、ＲＦＩＤの状態を複数の監視装置で監視でき、基板等の不正な交換を確実に検知することができる。例えば、遊技機の電源がオフにされた場合でも隣接する監視装置が電源オフの遊技機を監視し、当該遊技機に代わって異常を報知できる。この発明によれば、監視装置用に遊技機とは別系統の電源を備える必要はない。
【発明を実施するための最良の形態】
【００２０】
発明の実施の形態１．
この発明の実施の形態に係る遊技機について図面を参照して説明する。
図１は遊技機（スロットマシン、回胴式遊技機とも呼ばれる）の正面図である。
スロットマシン１０で遊技を楽しもうとする遊技者は、まずメダル貸機（図示しない）等から遊技媒体であるメダルを借り、メダル投入装置のメダル投入口１００に直接メダルを入れる。メダル投入口１００は、スロットマシン１０の正面で略中央の高さに設けられている。
【００２１】
スロットマシン１０は、四角い箱状の筐体１１を有する。前記筐体１１の中央部及び上部には、遊技者側に向かって臨む四角窓状の表示窓１２が形成されている。そして、この中央部の表示窓１２の中央には、三個の回転リール４０の図柄６１を見ることができる図柄表示窓１３が形成されている。ベットスイッチ１６は、回転リール４０の下方に位置するスイッチであって、メダル投入口１００に連続してメダル投入をして貯留させた貯留メダル数を減じてメダル投入に代える。精算スイッチ１７は、回転リールの斜め下方に位置するスイッチであって、貯留した投入メダルを払い出す。スタートスイッチ３０は回転リール４０の斜め下方に位置するレバーであって、遊技メダルの投入若しくはベットスイッチ１６の投入を条件に、リールユニット６０の駆動を開始させる。ストップスイッチ５０は、リールユニット６０の駆動を停止させるためのものである。リールユニット６０は、三個の回転リール４０とから構成されている。そして、各回転リール４０は、合成樹脂からなる回転ドラムと、この回転ドラムの周囲に貼付されるテープ状のリールテープ４２とを備えている。このリールテープ４２の外周面には、複数個（例えば２１個）の図柄６１が表示されている。６２は各種の演出を行うための液晶表示部である。
【００２２】
スロットマシン１０の内部には、後述のように、スロットマシン１０の全体の動作を制御するための制御装置が内蔵されている。制御装置は、ＣＰＵを中心に構成され、ＲＯＭ、ＲＡＭ、Ｉ／Ｏ等を備えている。そして、ＣＰＵ（処理部）が遊技者の操作を受けてＲＯＭ（記憶部）に記憶されたプログラムを読み込むことで動作させるものであり、具体的には、スタートスイッチ３０及びストップスイッチ５０の操作に基づき回転リール４０の回転及び停止を制御するとともに、ランプやスピーカ等の表示を制御する。ＣＰＵが動作する際に必要な一時的なデータなどはＲＡＭ（記憶部：一般にＲＡＭは揮発性メモリであり、その電源断によりデータは原則失われるが、本遊技機においてはその一部又は全部についてバッテリなどのバックアップ電源が用意されていることがあり、この場合は電源断でもデータは失われない）に記憶される。ＣＰＵはＲＯＭに記録されたプログラムに従って所定の動作を行うとともに、処理に必要な一時的なデータをＲＡＭに記録するとともに記録されたデータを必要に応じて読み出して参照する。
【００２３】
スタートスイッチ３０は、前述のように回転リール４０の斜め下方に位置するレバーであって、遊技メダルの投入若しくはベットスイッチ１６の投入を条件に、または、入賞判定に応じて得られる「再遊技（Ｒｅｐｌａｙ）」時には前遊技からの所定時間経過を条件に、リールユニット６０の駆動を開始させるためのものである。
【００２４】
ストップスイッチ５０は、前述のようにリールユニット６０の駆動を停止させるためのものである。具体的には、ストップスイッチ５０は、各回転リール４０に対応した三個のスイッチから構成され、各回転リール４０の下方に１個ずつ配置されているものである。回転リール４０に対応したストップスイッチ５０の操作により、当該対応した回転リール４０の回転を停止するように設定されている。
【００２５】
メダルの投入若しくはベットスイッチ１６の投入を条件に、または、前記「再遊技（Ｒｅｐｌａｙ）」時には前遊技から所定時間経過を条件に、スタートスイッチ３０を操作すると、リールユニット６０が駆動され、三個の回転リール４０が回転を開始する。その後、ストップスイッチ５０の一個を操作すると、当該対応する回転リール４０の回転が停止する。そして、ストップスイッチ５０を三個全て操作すると、三個の回転リール４０の回転が全て停止する。このとき、表示窓１３の有効入賞ライン上に、予め設定された図柄６１が停止すると入賞と判定され、図示しないホッパーユニットを介して所定枚数のメダルが払い出される。なお、メダルを払い出す代わりに、クレジットしてもよい。
【００２６】
図２はスロットマシン１０の電気的な概略構造を示すブロック図である。この図において電源系統についての表示は省略されている。スロットマシン１０は、その主要な処理装置としてメイン基板１とこれからコマンドを受けて動作するサブ基板２とを備える。なお、少なくともメイン基板１は、外部から接触不能となるようにケース内部に収容され、これら基板を取り外す際に痕跡が残るように封印処理が施されている。
【００２７】
メイン基板１は、遊技者の操作を受けて内部抽選を行ったり、リールの回転・停止やメダルの払い出しなどの処理を行うためのものである。メイン基板１は、予め設定されたプログラムに従って制御動作を行うＣＰＵと、前記プログラムを記憶する記憶手段であるＲＯＭおよび処理結果などを一時的に記憶するＲＡＭを含む。
【００２８】
サブ基板２は、メイン基板１からコマンド信号を受けて内部抽選の結果を報知したり各種演出を行うためのものである。サブ基板２は、前記コマンド信号に応じた予め設定されたプログラムに従って制御動作を行うＣＰＵと、前記プログラムを記憶する記憶手段であるＲＯＭおよび処理結果などを一時的に記憶するＲＡＭを含む。コマンドの流れはメイン基板１からサブ基板２への一方のみであり、逆にサブ基板２からメイン基板１へコマンド等が出されることはない。
【００２９】
メイン基板１にはスタートスイッチ３０，ストップスイッチ５０，リール駆動部７０，リール位置検出回路７１、ホッパー駆動部８０、ホッパー８１及びホッパー８１から払い出されたメダルの枚数を数えるためのメダル検出部８２が接続されている。サブ基板２には液晶表示装置６２の制御基板２００、スピーカ２０１、ＬＥＤ基板２０２などの周辺基板（ローカル基板）が接続されている。
【００３０】
本発明の実施の形態は、ソケットやコネクタで装着され容易に交換可能で、不正行為者に狙われやすいＲＯＭ、ＣＰＵ、基板、基板間を接続するワイヤハーネス（以下、単にハーネスと記す）にＲＦＩＤを取り付けたことを特徴とする。なお、リールユニット７０，７１、ホッパーユニット８０，８１，８２、図示しない電源ユニットにＲＦＩＤを取り付けるようにしてもよい。メイン基板１のＣＰＵ１ａにはＲＦＩＤ１ａ−Ｒが、同ＲＯＭ１ｂにはＲＦＩＤ１ｂ−Ｒが、メイン基板１にはＲＦＩＤ１−Ｒがそれぞれ取り付けられている。サブ基板２のＣＰＵ２ａにはＲＦＩＤ２ａ−Ｒが、同ＲＯＭ２ｂにはＲＦＩＤ２ｂ−Ｒが、サブ基板２にはＲＦＩＤ２−Ｒがそれぞれ取り付けられている。メイン基板１とサブ基板２を接続するハーネス３にはＲＦＩＤ３−Ｒが取り付けられている。各ＲＦＩＤはそれぞれしっかりと固定されていて容易に取り外せないようになっている。基板・ハーネスに個別認証を行うためのＲＦＩＤは、各構成要素を一意に認証するため、その内部に埋め込まれているような形状が望ましい。
【００３１】
ＲＦＩＤとは電子的なタグの一種であり、内部に電子的な情報をもち、読取装置と電波で通信することで物（本発明の実施の形態ではＲＯＭ、ＣＰＵ、基板、ハーネス）を識別する装置である。ＲＦＩＤは、保持する情報量が多い、離れていても認識することができる、多数のＲＦＩＤを同時に認識することができる、保持している情報量を書き換えることができる、といった特徴を備える。図示しないが、ＲＦＩＤは、アンテナと、無線回路と、情報を記憶したり読み出したりするための制御回路と、情報を記憶するメモリとを備える。
【００３２】
各ＲＦＩＤには製品情報や履歴情報などの管理情報を記憶することができる。例えば製品情報として次のような情報を予め記憶している。
（１）ＩＤ番号
（２）メーカー情報
（３）ユニット名（予め定められたコード情報：例えば「001」（メイン基板））
（４）工場製造日
（５）工場検査日
（６）出荷日
（７）出荷先（予め定められたコード情報）
（８）設置日
（９）設置場所
（１０）取付部品名（予め定められたコード情報：例えば「101」（ＲＯＭ)）
（１１）リサイクルのパラメータ
（１２）回収日
【００３３】
本発明の実施の形態は、遊技機の筐体内にＲＦＩＤリーダ（監視装置）４をさらに備えることを特徴とする。ＲＦＩＤリーダ（監視装置）４は、遊技機の筐体内の各ＲＦＩＤと通信を行い、その情報を読み取ることができる。例えば、電磁結合型・電磁誘導型のＲＦＩＤであればコイル（アンテナ）を各部品の近くに配置することにより、ＲＦＩＤリーダ（監視装置）４は全てのＲＦＩＤと通信可能になる。マイクロ波型であれば、指向性アンテナを複数設けて各ＲＦＩＤに向けたり、無指向性アンテナを用いることにより、ＲＦＩＤリーダ（監視装置）４は全てのＲＦＩＤと通信可能になる。
【００３４】
ＲＦＩＤリーダ（監視装置）４は、自身が設けられている遊技機内のＲＦＩＤ（ＲＦＩＤ１−Ｒ、ＲＦＩＤ１ａ−Ｒ、ＲＦＩＤ１ｂ−Ｒ、などの全部のＲＦＩＤ）に関する固有の情報（詳しくは後述）が予め登録された記憶部４ａと、ＲＦＩＤと無線で通信を行いＲＦＩＤの情報を読み出す通信部４ｂとを備える。通信部４ｂは、他のコンピュータ（例えばホールコンピュータ）と通信する機能を備えていてもよい。
【００３５】
遊技機は、その集合用設備（以下、複数の遊技機を整列して収納している集合用設備を「島設備」又は単に「島」と記す）に整列して収容されている。島設備に収納された遊技機それぞれにはＲＦＩＤリーダ（監視装置）４が設けられていて、後述するように相互に連携して動作している。
【００３６】
本発明の実施の形態は、遊技機の筐体内のＲＯＭ、ＣＰＵ、基板、ハーネス等のそれぞれにＲＦＩＤを設けるとともに、遊技機の筐体内にＲＦＩＤリーダ（監視装置）４を設けることを特徴とする。ＲＦＩＤには、予めＲＯＭ、ＣＰＵ、基板、ハーネス等に関する情報を記憶している。ＲＦＩＤリーダ（監視装置）４で定期的又は所定の契機で各ＲＦＩＤの情報を読み出し、それらの内容を確認する。そのため、ＲＦＩＤリーダ（監視装置）４は、遊技機１０の筐体内の全てのＲＦＩＤの情報を読み取れるぐらいの指向性・出力を備え、かつ、自身が設置されている遊技機の筐体内のＲＦＩＤの全てと通信可能な位置に配置されている。その状態を図３及び図４を参照して説明を加える。
【００３７】
図３は遊技機１０の前扉を外した状態の斜視図であるが、この図に示すように、ＲＦＩＤリーダ（監視装置）４は遊技機１０の筐体のほぼ中央（遊技機１０の筐体が二段のときは上段の床）に設けられる。ＲＦＩＤリーダ（監視装置）４は筐体の底面から上面の間のＲＦＩＤを読み取ることができるものとする。図４は平面図を示すが、ＲＦＩＤリーダ（監視装置）４は一点鎖線で示す通信可能な範囲ＳＡ内に設けられた複数のＲＦＩＤそれぞれの情報を読み取ることができる。図４では通信可能な範囲ＳＡを半径ｒの円形としているが、これは説明の便宜上であって、実際の通信可能な範囲ＳＡはアンテナの指向性や金属製の筐体・部品などの影響を受け、もっと複雑な形になっている。なお、図２に示すように、複数のＲＦＩＤは基板やその上に搭載されているＣＰＵ等の部品、ハーネスに取り付けられているのであるが、どのＲＦＩＤについても、発明の実施の形態に係る処理は同様であるため、以下、取り付けられている対象について区別をせずに、単にＲＦＩＤと記すことにする。
【００３８】
ＲＦＩＤリーダ（監視装置）４は、記憶部４ａに登録された情報に対応するＲＦＩＤ（簡単に「記憶部４ａに登録されたＲＦＩＤ」と記すことがある）のうち少なくともいずれかの情報を読み取れなくなったとき、又は、新たに読み取られたＲＦＩＤの情報が記憶部４ａに予め登録されていないものであるとき異常と判定し、その旨を示す異常信号を出力するものである。
【００３９】
図３（ａ）及び図４（ａ）に示すように、ＲＦＩＤが所定の位置にある場合は、各ＲＦＩＤはＲＦＩＤリーダ（監視装置）４の読み取り可能な範囲ＳＡ内にあるので、各ＲＦＩＤの情報をＲＦＩＤリーダ（監視装置）４で読み出すことができる。すなわち、ＲＦＩＤリーダ（監視装置）４は、遊技機１０の筐体内の全てのＲＦＩＤの情報を収集し、さらに、収集したＲＦＩＤが記憶部４ａに予め登録されているものであるかどうか確認する。当該確認の結果、各ＲＦＩＤの取り付けられている基板等が正規のものであれば、正常と判断する。
【００４０】
正規のＲＦＩＤでない場合、すなわち記憶部４ａに記憶されている情報に対応しないＲＦＩＤである場合は、対応する構成要素（遊技機の部品）が遊技機１０の筐体内に取り付けられたことを意味するので、異常信号を出力したり、エラー報知を行う（この処理はさらに後述する）。
【００４１】
また、図３（ｂ）及び図４（ｂ）に示すように、ＲＦＩＤの取り付けられている基板等のいずれかが取り外され（符号Ｘから符号Ｘ’の位置へ移動し）、遊技機１０の筐体の外に持ち出されると、当該ＲＦＩＤは通信可能な範囲ＳＡを外れ、その結果、当該ＲＦＩＤの情報をＲＦＩＤリーダ（監視装置）４で読み出すことができなくなる。この状態を監視装置で検知すると、異常信号を出力したり、エラー報知を行う（この処理はさらに後述する）。
【００４２】
上記処理を行うことにより、遊技機１０の筐体内の構成要素が不正なものに交換されたかどうか判定することができ、その結果を報知することにより、不正行為を抑止することができる。
【００４３】
発明の実施の形態に係るＲＦＩＤリーダ（監視装置）４の読み取り可能な範囲ＳＡは、自身が設けられている遊技機１０の筐体よりも広く、隣接する遊技機に設けられている他の監視装置４による読み取り可能な範囲ＳＡと少なくとも一部で重なっていることを特徴とする。この様子を図５に示す。
【００４４】
図５は６台の遊技機１０が２行３列に配置された状態を示す。符号１０−Ｓは、島設備に整列されている複数の遊技機の一群を示す。図５は一例を示すが、この図において各ＲＦＩＤリーダ（監視装置）４の読み取り可能な範囲ＳＡは、隣接する遊技機のＲＦＩＤリーダ（監視装置）４の位置にまで及び、各遊技機の監視を隣接するＲＦＩＤリーダ（監視装置）４によっても行うことができるようになっている（背面に隣接している遊技機や通路も監視できるように、範囲ＳＡをさらに広げることが望ましい）。
【００４５】
図５のように読み取り可能な範囲ＳＡが重複していれば、遊技機のＲＦＩＤは、当該遊技機に設けられたＲＦＩＤリーダ（監視装置）４ばかりではなく、隣接するひとつ又は複数の遊技機のＲＦＩＤリーダ（監視装置）４によっても監視されることになる。このため、発明の実施の形態に係る監視装置及びシステムによれば、ＲＦＩＤの状態を複数のＲＦＩＤリーダ（監視装置）４で監視でき、基板等の不正な交換を確実に検知することができる。例えば、基板等の交換の際には遊技機の電源がオフにされるが、その状態ではＲＦＩＤリーダ（監視装置）４が監視できなくなったり、監視できたとしてもそれを報知したり、異常を示す信号を外部へ出力することができなかった。しかし、発明の実施の形態によれば、隣接するＲＦＩＤリーダ（監視装置）４も、電源がオフにされた遊技機を監視しているので、当該遊技機に代わって異常を報知したり、異常を示す信号を外部へ出力することができる。従来の技術では、電源がオフにされた状態でも遊技機を監視できるようにするために、バックアップ用の電源など遊技機とは別系統の電源を備える必要があったが、本発明の実施の形態ではそのような別電源は不要であり、経済的である。
【００４６】
本発明の実施の形態に係るＲＦＩＤリーダ（監視装置）４の動作について、図６のフローチャート及び図７の記憶部４ａの記憶内容の説明図を参照して説明を加える。
【００４７】
図６はＲＦＩＤリーダ（監視装置）４により行われるＲＦＩＤ読み出し処理を示す。
【００４８】
Ｓ１：ＲＦＩＤ読み出しタイミングに該当する場合（ＹＥＳ）、ＲＦＩＤの情報の読み出しを行う。どのようなタイミングで読み出しを行うかは予め定められている。例えば、タイマーを用いて定期的に読み出したり、外部からの信号やスイッチ操作（例えば、遊技機の前扉の開放を示す図示しないセンサからの前扉開放信号）に応じて読み出す。
【００４９】
Ｓ２：ＲＦＩＤの情報を読み出す。ＲＦＩＤリーダ（監視装置）４は各ＲＦＩＤと通信可能になっており、各ＲＦＩＤから情報を読み出す。
【００５０】
Ｓ３：ＲＦＩＤから読み出した情報を記憶部４ａに記憶されている情報と比較することにより、読み出した情報に問題がないかどうか判定する。記憶部４ａには、例えば、図７に示すような、遊技機の工場出荷時点又は機器設置の時点の構成要素（部品）に取り付けられているＲＦＩＤの情報（製品情報）が記憶されている。例えば、ＲＦＩＤの情報（ＲＯＭのバージョンなど）が前回と変わっている場合、ＲＦＩＤの固有情報（ＲＯＭの検査合計など）が予め登録された情報と一致しない場合、予め書き込まれた管理情報（書き込み処理を行った時刻など筐体固有の情報）が一部のＲＦＩＤで異なっている場合、記憶部４ａに登録されているＲＦＩＤを読み取れないときなど、問題あり（ＮＧ）と判定する。問題がなければ（ＯＫ）、ＲＦＩＤの読み出し処理を繰り返す。
【００５１】
Ｓ４：判定結果に問題があれば、不正行為によりＲＯＭや基板などが交換された可能性があるから、その旨を示す異常信号を出力する。出力先はホールコンピュータなどの管理装置や、自身が設置されている遊技機のメイン基板１（異常信号時にエラー報知したり、遊技を停止したりするため）であるが、後述のように隣接するＲＦＩＤリーダ（監視装置）４と通信可能であれば、当該隣接するＲＦＩＤリーダ（監視装置）４へ異常信号を送るようにしてもよい。異常信号を受けた側でエラー報知するようにすれば、不正行為を抑止することができる。なお、ＲＦＩＤリーダ（監視装置）４自身でエラー報知を行うようにしてもよい。
【００５２】
Ｓ３でＮＧと判断されるのは、記憶部４ａに登録されたＲＦＩＤのうち少なくともいずれかの情報を読み取れなくなったとき、又は、新たに読み取られたＲＦＩＤの情報が記憶部４ａに予め登録されていない未登録のものであるとき、の２つの場合がある。Ｓ４で出力される異常信号はその両方を含むものであってもよいが、混乱を避けるために本明細書においては、前者を示す信号として失跡信号（後述）という語句を用い、後者を示す信号として異常信号という語句を用いることにする。
【００５３】
なお、正当な管理者が部品交換を行う場合には、図示しない端末装置で記憶部４ａの内容を書き換えるようにすることで、異常信号の出力を行わないようにできる。不正行為者により記憶部４ａの内容を勝手に書き換えられないように、その記憶内容は暗号化しておくことが好ましい。
【００５４】
ＲＦＩＤ及び記憶部４ａに記憶された情報の例を図７に示す。ＲＦＩＤ１−Ｒ，１ｂ−Ｒ、１ａ−Ｒ、２−Ｒ、２ｂ−Ｒ、２ａ−Ｒ、３−Ｒには、それぞれ固有の製品情報ａ〜ｇが予め記憶されている。具体的には、前述の（１）〜（１２）のようなものである。なお、記憶部４ａは少なくとも自分の遊技機内のＲＦＩＤの情報を記憶しているが、これに加えて隣接する遊技機内のＲＦＩＤの情報を記憶するようにしてもよい。ＲＦＩＤリーダ（監視装置）４の読み取り可能な範囲ＳＡは、遊技機の筐体を超えて広がっていて、隣接するもの同士で重複している。当該重複部分にあって隣接するＲＦＩＤリーダ（監視装置）４で読み取り可能なＲＦＩＤを記憶部４ａに予め記憶しておくことが好ましい。
【００５５】
記憶部４ａの内容として、例えば、正規の部品交換時の時刻情報（時刻情報を特定の関数や論理演算で加工した情報でもよい）を履歴情報として書き込むようにしてもよい。あるいは、ＲＯＭに記憶されているデータから得られる特徴値（検査合計、ハッシュ値など）を書き込むようにしてもよい。また、部品が交換されたときに、その部品のＲＦＩＤに書き込まれたバージョン情報を書き込むようにしてもよい。部品の交換履歴を書き込むようにしてもよい。以上の情報は遊技機固有の情報であり機種に共通な情報ではないので不正行為者が予め知ることは困難である。したがって、不正に部品交換をおこなうとＲＦＩＤの情報に不一致が生じ、前述のＳ３で問題ありと判定される。
【００５６】
図６の処理により、遊技機１０の筐体内の構成要素が不正なものに交換されたかどうか判定することができ、その結果を報知することにより、不正行為を抑止することができる。しかも、図５に示すように、ＲＦＩＤの読み取り可能な範囲ＳＡは、自身が設けられている遊技機１０の筐体よりも広く、隣接する遊技機に設けられている他の監視装置による読み取り可能な範囲と重なっているため、複数の監視装置で相互に不正行為を監視することができ、信頼性が高くなっている。
【００５７】
本発明の実施の形態では、さらに以下に説明する処理を行うことにより、隣接するＲＦＩＤリーダ（監視装置）４を連携させ、より高度な処理を行わせることができる。以下の説明では、ＲＦＩＤリーダ（監視装置）４からホールコンピュータへ信号を送信するようにしているが、以下に説明するやり方は、ＲＦＩＤリーダ（監視装置）４のみで行うことが可能な処理であり、ホールコンピュータとの通信接続は必須ではない。
【００５８】
ＲＦＩＤリーダ（監視装置）４は、それぞれ、図８のＲＦＩＤ失跡時の処理、図９のＲＦＩＤ発見時の処理、及び、図１０の警報信号受信処理を少なくとも実行する。
【００５９】
（Ａ）図８のＲＦＩＤ失跡時の処理
ＲＦＩＤリーダ（監視装置）４は、記憶部２ａに登録されたＲＦＩＤのうち少なくともいずれかの情報を読み取れなくなったとき、又は、図９の処理で新たに発見されたＲＦＩＤの情報を読み取れなくなったとき（Ｓ１０でＹＥＳ）、失跡信号を出力する処理を実行する。すなわち、読み取れなくなったＲＦＩＤの固有の情報を含む失跡信号を隣接する他のＲＦＩＤリーダ（監視装置）４へ送信する（Ｓ１４）とともに、当該失跡信号をホールコンピュータへ出力する（Ｓ１５）。
【００６０】
失跡信号には、当該ＲＦＩＤを一意に特定するための固有の情報とともに、ＲＦＩＤの移動回数（ＲＦＩＤリーダ（監視装置）４による失跡信号の出力回数）の情報が含まれている。
ＲＦＩＤリーダ（監視装置）４は、自己の通信部４ｂによる読み取り可能な範囲ＳＡにおいていずれかのＲＦＩＤ（自身が設置されている遊技機内のＲＦＩＤ又は図９の処理で新たに発見したＲＦＩＤ）の情報を読み取れなくなったとき（Ｓ１０でＹＥＳ）、当該ＲＦＩＤが他のＲＦＩＤリーダ（監視装置）４からの失跡信号に含まれていたものかどうか判定する（Ｓ１１）。
【００６１】
読み取れなくなった当該ＲＦＩＤの情報が、他のＲＦＩＤリーダ（監視装置）４から送られてきた失跡信号に含まれていた固有の情報に対応するものであったとき（Ｓ１１でＹＥＳ）、当該ＲＦＩＤは、自身が設置されている遊技機以外からやってきて、そして別の場所に移動したことを意味するから、失踪信号に含まれていた移動回数を増やす（Ｓ１２）。例えば、移動回数を移動回数＋１とする。当該移動回数の情報を含めて失跡信号を他の監視装置等へ送信する（Ｓ１４、Ｓ１５）。
【００６２】
読み取れなくなった当該ＲＦＩＤの情報が、他のＲＦＩＤリーダ（監視装置）４から送られてきた失跡信号に含まれていた固有の情報に対応するものでなかったとき（Ｓ１１でＮＯ）、当該ＲＦＩＤは、自身が設置されている遊技機のものであり、初めて遊技機外へ持ち出されることを意味するから、移動回数を初期化する（Ｓ１３）。例えば、移動回数を１とする。そして、初期化した移動回数の情報を含めて失跡信号を他の監視装置等へ送信する（Ｓ１４、Ｓ１５）。
【００６３】
（Ｂ）図９のＲＦＩＤ発見時の処理
他のＲＦＩＤリーダ（監視装置）４から失跡信号を受信する（Ｓ２０）とともに、自己の読み取り可能な範囲ＳＡに存在するＲＦＩＤの情報を読み出すとともに、記憶部４ａに記憶する（Ｓ２１）。記憶部４ａには、自身が設置されている遊技機の部品のＲＦＩＤとともに、隣接する遊技機のＲＦＩＤや、通路を移動するＲＦＩＤの情報が記憶される。なお、これらＳ２０とＳ２１の処理の順序は逆でもよい。
【００６４】
Ｓ２０で受けた失跡信号に含まれるＲＦＩＤの固有の情報と、Ｓ２１で読み出したＲＦＩＤの情報を比較する（Ｓ２２）。失跡信号に含まれるＲＦＩＤの固有の情報に対応するＲＦＩＤの情報を読み出し可能な範囲ＳＡで読み出したとき（Ｓ２２でＹＥＳ）、その旨を意味する発見信号を他の監視装置へ出力する（Ｓ２４）とともに、ホールコンピュータへ送信する（Ｓ２６）。発見信号には当該ＲＦＩＤの固有の情報を含める。発見信号に基づき、遊技機やホールコンピュータでエラー報知するようにしてもよい。あるいは、他の制御を行ってもよい。例えば、ほとんどのホールには監視カメラが設置されているので、不正行為者を撮影できるように監視カメラを発見信号の送信元の遊技機に向けたり、不正行為者を逃がさないように送信元の遊技機の近くの自動ドアをロックしてもよい。
【００６５】
自己の読み取り可能な範囲ＳＡにおいて他の監視装置から受信した失跡信号に含まれる固有の情報に対応するＲＦＩＤの情報を読み出したとき（Ｓ２２でＹＥＳ）、さらに、失跡信号に含まれる移動回数を調べ（Ｓ２３）、当該移動回数が予め定められた値を超えている場合（Ｓ２３でＹＥＳ）、発見信号に代えて、警報信号を出力するようにしてもよい（Ｓ２５，Ｓ２７）。当該移動回数が予め定められた値を超えていない場合（Ｓ２３でＮＯ）、発見信号を出力する（Ｓ２４、Ｓ２６）。
【００６６】
発見信号は、失跡したＲＦＩＤを自己の読み取り可能な範囲ＳＡで発見したことを知らせる信号であるのに対し、警報信号は、失跡したＲＦＩＤを自己の読み取り可能な範囲ＳＡで発見したが、それが何度も移動を繰り返している、すなわち移動回数が閾値を超えていることを知らせる信号である。移動回数が多いということは、ＲＦＩＤすなわちそれが取り付けられた基板等の部品が運び出されようとしていることを意味し、仮にそれが不正行為であるならば至急対処しないと不正行為者を逃がすことになってしまう。そこで、そのような移動量が大きい場合は、発見信号よりも緊急度の高い信号として警報信号を出力するのである。したがって、警報信号を受けた側では図１０のＳ３３に示すようにエラー報知を行ったり、不正行為者を撮影できるように監視カメラを発見信号の送信元の遊技機に向けたり、不正行為者を逃がさないように送信元の遊技機の近くの自動ドアをロックすることが望ましい。
【００６７】
（Ｃ）図１０の警報信号受信処理
監視装置は、失跡信号に含まれていたＲＦＩＤの固有の情報を警報信号に含めて他の監視装置へ送信する（図９のＳ２５）。図１０の処理は当該警報信号を受信した他の監視装置が行う処理である。
【００６８】
他の監視装置から警報信号を受けるとともに（Ｓ３０）、記憶部４ａから過去に自己の読み取り可能な範囲ＳＡで読み取った（検知した）ことのあるＲＦＩＤの情報を全て読み出す（Ｓ３１）。警報信号に含まれるＲＦＩＤの固有の情報を記憶部４ａから読み出した情報と比較する（Ｓ３２）。なお、他の監視装置から受けた警報信号を隣接する他の監視装置へ転送する（Ｓ３０）ことで、全ての遊技機に警報信号を行き渡らせることができる。
【００６９】
警報信号に含まれるＲＦＩＤの固有の情報が、自己の読み取り可能な範囲ＳＡにおいて受信したことのあるＲＦＩＤの固有の情報と一致したとき（Ｓ３２でＹＥＳ）、エラー報知を行う（Ｓ３３）。例えば、自己の遊技機のメイン基板１へエラー報知する（例えば、アーチの照明を点滅させる）ように指令を出す。なお、この指令をホールコンピュータなどの外部装置へ出力してもよい。一致しないとき（Ｓ３２でＮＯ）、エラー報知をすることなく処理を終了する。
【００７０】
Ｓ３２及びＳ３３の処理により、警報信号を受けると、過去に当該ＲＦＩＤから情報を読み出した監視装置のみがエラー報知する。過去にＲＦＩＤから情報を読み出したということは、当該ＲＦＩＤが読み取り可能な範囲ＳＡ、例えば筐体あるいは通路に存在したことがあるということであるから、Ｓ３２の判断を行うことで当該ＲＦＩＤの移動経路に沿ってエラー報知がなされる。すなわち、複数の遊技機によるエラー報知で当該ＲＦＩＤの経路を報知することができる。ホールの係員は遊技機のエラー報知状況を見て、基板等がどちらに持ち出されようとしているのかを知ることができる。移動の経路に沿って監視カメラで撮影したり、移動経路の先にある自動ドアをロックするようにしてもよい。
【００７１】
図８〜図１０の処理の具体例を、図１１及び図１２を参照して説明を加える。図１１及び図１２は遊技機の島設備の平面図（概略図）を示している。説明を簡単にするため、５台の遊技機Ａ〜Ｅが一列に配列されているものとする（実際にはもっと多数の遊技機が配置されている）。この配列を符号１０−Ｓで示す。これらの図の上側が通路で、不正行為者がＲＦＩＤの取り付けられた基板等を遊技機Ａから外し、当該通路を遊技機Ｅの方へ移動するものとする。その様子を図１１（ａ）〜（ｄ）及び図１２（ｅ）〜（ｇ）で順番に示す。これらの図において、監視装置４とその読み取り可能な範囲ＳＡの図示を省略しているが、これらは図４及び図５で示されたものである。
【００７２】
不正行為者がＲＦＩＤの取り付けられた基板等を遊技機Ａから外し、当該通路を遊技機Ｂの方へ移動したとする（図１１（ａ））。すなわち、点線のＲＦＩＤの位置から実線のＲＦＩＤの位置へ移動した。図１１（ａ）の時点で、遊技機Ａの監視装置４で当該ＲＦＩＤを読めなくなったので、隣接する監視装置４へ失跡信号が出力される。横向きの矢印がこれを示す（以下、同様）。ホールコンピュータへ失跡信号を出力してもよい。下向きの矢印がこれを示す（以下、同様）。当該ＲＦＩＤは遊技機Ａから外されたので、失跡信号が出されるのは初めてであり、したがってこれに含まれる移動回数は初期値（＝１）である（図８のＳ１０でＹＥＳ、Ｓ１１でＮＯ、Ｓ１３，Ｓ１４，Ｓ１５を参照）。
【００７３】
点線のＲＦＩＤの位置から実線のＲＦＩＤの位置へ移動すると（図１１（ｂ））、今度は遊技機Ｂの監視装置４で当該ＲＦＩＤを読み取ることになる。遊技機Ｂの監視装置４は隣接する監視装置４及びホールコンピュータへ発見信号を出力する。この際、遊技機Ｂの監視装置４は、受信した失跡信号に含まれる移動回数が予め定められた閾値（例えば２）を超えたかどうか判定するが、移動回数＝１であるので当該閾値を超えない。そこで、遊技機Ｂの監視装置４は、発見信号を出力するのである（図９のＳ２０，Ｓ２１，Ｓ２２でＹＥＳ、Ｓ２３でＮＯ、Ｓ２４、Ｓ２６）。
【００７４】
図１１（ｃ）（ｄ）及び図１２（ｅ）でも同様に、各監視装置はＲＦＩＤを読み取れなくなると失跡信号を出力し、新たにＲＦＩＤを読み取ると発見信号を出力し、ＲＦＩＤが移動して当該情報を読み取れなくなると移動回数を増やしていく（＋１）。図１２（ｅ）に示すように、ＲＦＩＤが遊技機Ｃから遊技機Ｄへ移動したことで出される失跡信号の移動回数は３となり、閾値を超えることになる。
【００７５】
図１２（ｆ）に示すように遊技機Ｄの監視装置で当該ＲＦＩＤを読み取れるようになると、その時点で移動回数が閾値を超えているので（図９のＳ２３でＹＥＳ）、発見信号に代えて警報信号を出力する。
【００７６】
警報信号を受けた各監視装置は図１０の処理を実行する。警報信号を受けたらそれを他の監視装置へも送る（図１０のＳ３０）。これにより、当該警報信号は、バケツリレー式に各監視装置へ送られていく。図１２（ｆ）の例で言えば、遊技機Ａ〜Ｅの全部に警報信号が行き渡る。各監視装置は、警報信号に係るＲＦＩＤが過去に読み取ったことがある場合にのみ、エラー報知を行う（図１０のＳ３２でＹＥＳ、Ｓ３３）。図１１及び図１２の例で言えば、該当する遊技機はＡ〜Ｃであるから、図１２（ｇ）に示すように、これら遊技機Ａ〜Ｃでエラーが報知され、当該ＲＦＩＤを検知していない遊技機Ｅではエラーが報知されない。遊技機Ａ〜ＣはいずれもＲＦＩＤの移動経路にあるものだから、これらのエラー報知によりＲＦＩＤの移動経路を知ることができる。得られた移動経路に沿って監視カメラを向ければ、不正行為の実行者を特定し、追跡することができる。
【００７７】
なお、遊技機Ｄにおいてもエラー報知するようにしてもよい。その場合、遊技機Ｄは当該ＲＦＩＤの現在位置に相当するから、遊技機Ａ〜Ｃのエラー報知とは異なる態様でエラーを報知することが好ましい。
【００７８】
発明の実施の形態１によれば、隣接する遊技機の監視装置を互いに通信できるように構成するとともに、図６の処理、図８のＲＦＩＤ失跡時の処理、図９のＲＦＩＤ発見時の処理、及び、図１０の警報信号受信処理を実行するようにしたので、ＲＦＩＤを読み取れなくなったときに異常信号及び失跡信号を出力し、ＲＦＩＤを検知したときに発見信号を出力することができる。これらの信号に基づき各遊技機の部品を監視することができ、異常と判断したときにエラーを報知することで不正行為の発見を容易にし、その抑止を図ることができる。しかも、移動回数に基づき警報信号を出力することで、各遊技機のエラー報知機能を使用して、部品（ＲＦＩＤ）の現在位置と移動状況（経路）を報知することができる。各監視装置を連携させることにより、上記処理をホールコンピュータなどの中央装置を用いることなく実現することができ、低いコストで信頼性の高い監視装置を提供することができる。
【００７９】
発明の実施の形態２．
各監視装置の出力（異常信号等）を受けて、ＲＦＩＤの監視をホールコンピュータが行うこともできる。
【００８０】
発明の実施の形態２に係る監視システムは、島設備に整列して収容される複数の遊技機と、前記複数の遊技機の内部にそれぞれ設けられる監視装置と、前記複数の遊技機を管理するホールコンピュータ（図示せず）とを備えるものである。
【００８１】
図２に示すように、複数の遊技機は、それぞれ、ＣＰＵ及び半導体メモリを含む電子部品を搭載したメイン基板１及びサブ基板２と、これら基板の電気的接続のための複数の電線を含むハーネスとを備える。予め固有の情報が書き込まれたＲＦＩＤが、前記ＣＰＵ、前記半導体メモリ、前記メイン基板１及びサブ基板及び前記ハーネスなどに取り付けられている。監視装置４は、自身が設けられている遊技機内のＲＦＩＤに関する固有の情報が予め登録された記憶部４ａと、ＲＦＩＤと無線で通信を行いＲＦＩＤの情報を読み出す通信部４ｂとを備える。
【００８２】
発明の実施の形態２でも、図５に示すように、通信部４ｂによるＲＦＩＤの読み取り可能な範囲ＳＡは、自身が設けられている遊技機の筐体よりも広く、隣接する遊技機に設けられている他の監視装置による読み取り可能な範囲と重複している。
【００８３】
発明の実施の形態２では、各監視装置は、図６の異常信号及び失跡信号を出力する必要はあるが（移動回数に関する処理は不要）、発見信号及び警報信号を出力する必要はなくなる。この点を除き、発明の実施の形態２に係る監視装置は、発明の実施の形態１の場合と同様に動作するので、その詳細な説明は省略する。
【００８４】
図１３のフローチャートを参照して、発明の実施の形態２に係るホールコンピュータの処理を説明する。
【００８５】
ホールコンピュータがいずれかの遊技機の監視装置から異常信号又は失跡信号を受信すると（Ｓ４０でＹＥＳ）、当該異常信号又は失跡信号に基づき異常を報知する（Ｓ４１）。例えば、ホールコンピュータのモニタ画面上にいずれかの遊技機のＲＦＩＤを読み取れなくなったこと、及び、当該ＲＦＩＤがどの遊技機のものであるのかを表示する。また、異常信号は、新たに読み取られたＲＦＩＤの情報が記憶部４ａに予め登録されていないものであることを意味するから、その旨の異常信号を受信したときは、いずれかの遊技機で未登録のＲＦＩＤが発見された旨の表示を行う。
【００８６】
当該異常信号又は失跡信号に含まれるＲＦＩＤの固有の情報に基づき、ＲＦＩＤごとに受信回数（失跡信号であれば移動回数を意味する）を計数する（Ｓ４２）。異常信号又は失跡信号を受信するごとに、Ｓ４１とＳ４２の処理を行う。
【００８７】
ホールコンピュータは、Ｓ４２でＲＦＩＤの固有の情報ごとに、すなわち遊技機ごとに異常信号又は失跡信号の受信回数を計数し、当該受信回数が予め定められた閾値を超えたとき（Ｓ４３でＹＥＳ）、エラーを報知する（Ｓ４４）。
【００８８】
さらに、異常信号又は失跡信号の発信元の監視装置又は当該監視装置が設置されている遊技機に対して、エラー報知を行うように指令を出す（Ｓ４５）。エラー報知の態様として、遊技機のアーチ照明を点滅させるものがある。これによりＲＦＩＤの移動経路に沿って遊技機のエラー報知が行われることになり、その経路を容易に示すことができる。
【００８９】
発明の実施の形態２によれば、隣接する遊技機の監視装置の監視領域を重複させ、ＲＦＩＤを読み取れなくなったときに失跡信号を出力し、未登録のＲＦＩＤを読み取ったときに異常信号を出力し、異常信号と失跡信号をホールコンピュータで受けて異常を報知するようにしたので、ホールの全部の遊技機の部品を監視することができる。異常信号と失跡信号とに基づき異常を報知することで不正行為の発見を容易にし、その抑止を図ることができる。しかも、移動回数が多い場合は遊技機にエラー報知を行わせることで、各遊技機のエラー報知機能を使用して、部品の現在位置と移動状況（経路）を報知することができる。
【００９０】
なお、以上の説明はスロットマシンに関するものであったが、本発明はパチンコ機などの他の遊技機にも適用することができる。
【００９１】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００９２】
【図１】遊技機（スロットマシン）の正面図である。
【図２】本発明の実施の形態に係る遊技機のブロック図である。
【図３】本発明の実施の形態に係るＲＦＩＤリーダ（監視装置）の取り付け状態及び動作の説明図である。
【図４】本発明の実施の形態に係るＲＦＩＤリーダ（監視装置）の読み取り可能な範囲及び動作の説明図である。
【図５】本発明の実施の形態に係るＲＦＩＤリーダ（監視装置）を備える遊技機の配列とその読み取り可能な範囲の説明図である。
【図６】本発明の実施の形態１に係るＲＦＩＤリーダ（監視装置）のＲＦＩＤ読み出し処理のフローチャートである。
【図７】本発明の実施の形態１に係るＲＦＩＤリーダ（監視装置）が記憶しているＲＦＩＤの情報の説明図である。
【図８】本発明の実施の形態１に係るＲＦＩＤリーダ（監視装置）のＲＦＩＤ失跡時の処理のフローチャートである。
【図９】本発明の実施の形態１に係るＲＦＩＤリーダ（監視装置）のＲＦＩＤ発見時の処理のフローチャートである。
【図１０】本発明の実施の形態１に係るＲＦＩＤリーダ（監視装置）の警報信号受信処理のフローチャートである。
【図１１】本発明の実施の形態１に係るＲＦＩＤリーダ（監視装置）の連携動作の説明図である。
【図１２】本発明の実施の形態１に係るＲＦＩＤリーダ（監視装置）の連携動作の説明図である（続き）。
【図１３】本発明の実施の形態２に係るホールコンピュータの処理のフローチャートである。
【符号の説明】
【００９３】
１    メイン基板
１−Ｒ  メイン基板のＲＦＩＤ
１ａ  メイン基板のＣＰＵ
１ａ−Ｒ  メイン基板のＣＰＵのＲＦＩＤ
１ｂ  メイン基板のＲＯＭ
１ｂ−Ｒ  メイン基板のＲＯＭのＲＦＩＤ
２    サブ基板
２−Ｒ  サブ基板のＲＦＩＤ
２ａ  サブ基板のＣＰＵ
２ａ−Ｒ  サブ基板のＣＰＵのＲＦＩＤ
２ｂ  サブ基板のＲＯＭ
２ｂ−Ｒ  サブ基板のＲＯＭのＲＦＩＤ
３    ハーネス
３−Ｒ  ハーネスのＲＦＩＤ
４    遊技機筐体内のＲＦＩＤリーダ（監視装置）
４ａ  記憶部
４ｂ  通信部
１０    スロットマシン
１０−Ｓ  整列して配列された複数の遊技機（島設備に収納されている複数の遊技機）
１１    筐体
１２    表示窓
１３    図柄表示窓
１６    ベットスイッチ
１７    精算スイッチ
３０    スタートスイッチ
４０    回転リール
４２    リールテープ
５０    ストップスイッチ
６０    リールユニット
６１    図柄
６２    液晶表示部
７０    リール駆動部
７１    リール位置検出回路
８０    ホッパー駆動部
８１    ホッパー
８２    メダル検出部
１００  メダル投入口
２００  液晶制御基板
２０１  スピーカ
２０２  ＬＥＤ基板
３０４  メダル払い出し口
３１１  メダル受け部（下皿）
ＳＡ  ＲＦＩＤリーダ（監視装置）の読み取り可能な範囲
【図１】
0004538102.tif 000002
【図２】
0004538102.tif 000003
【図３】
0004538102.tif 000004
【図４】
0004538102.tif 000005
【図５】
0004538102.tif 000006
【図６】
0004538102.tif 000007
【図７】
0004538102.tif 000008
【図８】
0004538102.tif 000009
【図９】
0004538102.tif 000010
【図１０】
0004538102.tif 000011
【図１１】
0004538102.tif 000012
【図１２】
0004538102.tif 000013
【図１３】
0004538102.tif 000014